(57)【要約】【課題】  電流方式の人体通信の通信感度を向上させることが可能な携帯装置を提供する。【解決手段】  第一の携帯装置１０の接触面１４ａの中央には凹部が設けられており、この凹部には、円盤状の回転体１５が、一方の主面が接触面１４ａの一部を構成した状態で嵌め込まれている。そして、回転体１５は、接触面１４ａと直交する回転軸１６を中心として回転可能に保持されている。また、回転面１４ａ−１には、矩形の信号側電極１１ａとグランド側電極１１ｂとが、回転中心１４ａ−２を挟んで対面する位置に配置されており、接触面１４ａ側から見てグランド側電極１１ｂの奥側には、錘１５ａが設けられている。【選択図】図３
2010206616.tif 000002
【特許請求の範囲】
【請求項１】
予め定められた態様で携帯されることにより、自装置を携帯するユーザの人体に、直接的或いは間接的に接触した状態に保持される接触面を有する形状に構成された筐体を有し、該ユーザの人体を介して外部装置と人体通信を行う携帯装置であって、
複数の電極から構成される電極群と、
前記電極群を介して前記人体に電流を流すことにより、前記人体を介して前記外部装置に対し信号を送信する送信手段と、
前記接触面に対して垂直に交わる回転軸を中心として回転可能な状態で当該携帯装置の筐体に保持されている回転体と、
を備え、
前記回転体は、前記回転軸と垂直に交わる面であり、前記人体に対面する面である回転面を有しており、
前記電極群は、前記回転面に配置されており、
前記回転体は、質量重心が前記回転軸上以外のいずれかの位置に設けられていること、
を特徴とする携帯装置。
【請求項２】
請求項１に記載の携帯装置において、
前記回転体は、前記回転面が前記接触面の一部となるように配置されていること、
を特徴とする携帯装置。
【請求項３】
請求項１に記載の携帯装置において、
前記回転体は、前記回転面が前記接触面を介して前記人体と対面するように、当該携帯装置の筐体の内部に配置されていること、
を特徴とする携帯装置。
【請求項４】
請求項３に記載の携帯装置であって、
当該携帯装置の筐体は板状の形状を有しており、該筐体における二つの主面が、それぞれ、前記接触面に相当し、
前記回転体は、前記回転面を二つ有し、それぞれの前記回転面は、前記接触面に１対１で対応しており、
前記回転体は、前記回転面が、それぞれ、対応する前記接触面を介して前記人体と対面するよう配置されており、
当該携帯装置は、前記電極群を二つ備え、
前記電極群は、それぞれの前記回転面に一つ配置されていること、
を特徴とする携帯装置。
【請求項５】
請求項１から請求項４のいずれかに記載の携帯装置であって、
前記人体に沿って、当該携帯装置と該人体との接点から、前記外部装置との接点となる該人体の所定の部位に向かう方向を伝達方向とし、
当該携帯装置は、前記人体のいずれかの部位に対応しており、
当該携帯装置が前記予め定められた態様で携帯されるとは、立った状態の前記ユーザの前記人体における対応する前記部位に、前記接触面が接触した状態で当該携帯装置が携帯されることであり、
前記接触面に配置されている前記電極群を構成する複数の電極は、当該携帯装置が前記予め定められた態様で前記ユーザに携帯された場合において、前記伝達方向に沿った方向に並ぶように、該接触面上に配置されていること、
を特徴とする携帯装置。
【請求項６】
請求項５に記載の携帯装置であって、
前記電極群を構成する複数の電極には、信号側電極とグランド側電極とが存在し、
前記送信手段は、前記電極群における前記信号側電極から前記グランド側電極に向かって電流を流すことにより前記人体に電流を流し、該人体を介して前記外部装置に信号を送信し、
前記接触面に配置されている前記電極群を構成する複数の電極は、当該携帯装置が前記予め定められた態様で前記ユーザに携帯された場合において、前記グランド側電極から前記信号側電極への向きが前記伝達方向に沿った方向に並ぶように、該接触面上に配置されていること、
を特徴とする携帯装置。
【請求項７】
請求項５または請求項６に記載の携帯装置であって、
前記電極群を構成する複数の電極は、前記回転体の質量重心と前記回転軸とを含む面と、前記回転面との交線に沿って配置されていること、
を特徴とする携帯装置。
【請求項８】
請求項５または請求項６に記載の携帯装置であって、
前記電極群を構成する複数の電極は、前記回転体の質量重心と前記回転軸とを含む面と、前記回転面との交線に対し、垂直に交わる線に沿って配置されていること、
を特徴とする携帯装置。
【請求項９】
予め定められた態様で携帯されることにより、自装置を携帯するユーザの人体に、直接的或いは間接的に接触した状態に保持される接触面を有する形状に構成された筐体を有し、該ユーザの人体を介して外部装置と人体通信を行う携帯装置であって、
複数の電極から構成される電極群と、
前記電極群を介して前記人体に電流を流すことにより、前記人体を介して前記外部装置に対し信号を送信する送信手段と、
前記接触面に対して垂直に交わる回転軸を中心として回転可能な状態で当該携帯装置の筐体に保持されている回転体と、
前記回転体を回転駆動させる駆動手段と、
を備え、
前記回転体は、前記回転軸と垂直に交わる面であり、前記人体に対面する面である回転面を有しており、
前記電極群は、前記回転面に配置されていること、
を特徴とする携帯装置。
【請求項１０】
請求項９に記載の携帯装置において、
前記駆動手段は、当該携帯装置が前記外部装置と人体通信を行っている間に、前記回転体を回転駆動させること、
を特徴とする携帯装置。
【請求項１１】
請求項１から請求項１０のいずれかに記載の携帯装置において、
前記回転体の前記回転軸は、前記接触面の中央にて該接触面と交わるように配置されていること、
を特徴とする携帯装置。
【請求項１２】
予め定められた態様で携帯されることにより、自装置を携帯するユーザの人体に、直接的或いは間接的に接触した状態に保持される接触面を有する形状に構成された筐体を有し、該ユーザの人体を介して外部装置と人体通信を行う携帯装置であって、
前記接触面上に、一直線或いは略一直線に並ぶことがないように配置された三つ以上の電極から構成される電極群と、
鉛直方向を検知する検知手段と、
前記検知手段により検知された鉛直方向に基づき、前記電極群を構成する三つ以上の電極のうち、少なくともいずれか二つの電極を選択する選択手段と、
前記選択手段により選択された電極を介して、前記人体に電流を流すことにより、該人体を介して前記外部装置に対し信号を送信する送信手段と、
を備えることを特徴とする携帯装置。
【請求項１３】
請求項１２に記載の携帯装置であって、
前記人体に沿って、当該携帯装置と該人体との接点から、前記外部装置との接点となる該人体の所定の部位に向かう方向を伝達方向とし、
当該携帯装置は、前記人体のいずれかの部位に対応しており、
当該携帯装置が前記予め定められた態様で携帯されるとは、立った状態の前記ユーザの前記人体における対応する前記部位に、前記接触面が接触した状態で当該携帯装置が携帯されることであり、
前記選択手段は、当該携帯装置が前記予め定められた態様で形態された場合において、前記検知手段により検知された鉛直方向に基づき、前記電極群を構成する電極のうち、前記伝達方向に沿って並んでいる電極を選択すること、
を特徴とする携帯装置。
【請求項１４】
請求項１３に記載の携帯装置であって、
前記送信手段は、前記選択手段により選択された電極を介して、前記伝達方向に沿った向きに電流を流すこと、
を特徴とする携帯装置。
【請求項１５】
請求項１３または請求項１４に記載の携帯装置において、
前記選択手段は、前記電極群を構成する複数の電極のうち、前記検知手段により検知された鉛直方向に最も近い方向に沿って配置されている少なくとも二つの電極を選択すること、
を特徴とする携帯装置。
【請求項１６】
請求項１３または請求項１４に記載の携帯装置において、
前記選択手段は、前記電極群を構成する複数の電極のうち、前記検知手段により検知された鉛直方向に直行する方向に最も近い方向に沿って配置されている少なくとも二つの電極を選択すること、
を特徴とする携帯装置。
【発明の詳細な説明】
【技術分野】
【０００１】
本発明は、人体通信を行う携帯装置に関する。
【背景技術】
【０００２】
人体を媒体とした通信である人体通信が知られている。この人体通信には、人体に電流を流すことにより情報を伝送する方式（以後、電流方式とも記載）と、人体に電圧をかけることにより情報を伝送する方式（以後、電界方式とも記載）とが存在する。
【０００３】
ところで、電流方式の人体通信を行う携帯装置は、信号側の電極とグランド側の電極の二種類を有しており、これらの電極は、ユーザの人体或いは衣服に接触可能となるように配置される。そして、携帯装置は、信号側の電極からグランド側の電極に電流を流すことにより人体に電流を流し、信号を伝達する。
【０００４】
しかし、電流方式の人体通信を行う場合には、これらの電極が人体のどの位置に接触するかといったことや、携帯装置の通信相手となる外部装置の電極にユーザの人体のどの部分が接触するか等といったことにより、通信感度が変動する。例えば、携帯装置がユーザの右腕の前腕に装着されていると仮定する。このとき、二つの電極が前腕に沿って配置されており、さらに、信号側の電極が右手側に、グランド側の電極が上腕側にそれぞれ配置されていれば、このユーザが右手で外部装置の電極を触れた場合の人体通信の通信感度は良好なものとなる。一方、このユーザが左手で外部装置の電極を触れた場合には、人体通信の通信感度が悪くなってしまう。また、二つの電極が前腕と直交する向きに沿って配置されている場合等についても同様に、人体通信の通信感度が悪くなってしまう。
【０００５】
ここで、特許文献１には、ユーザが携帯している機器と外部に設置された機器との間で電流方式の人体通信を行い、ユーザ認証を行う装置が記載されている。しかしながら、特許文献１に記載の装置では、携帯装置の電極の位置や、ユーザの人体のどの部分が通信相手となる外部装置の電極に接触するか等を考慮して、人体通信の通信感度を向上させるといったことは行われていない。
【先行技術文献】
【特許文献】
【０００６】
【特許文献１】特開２００３−２２６１３５号公報
【発明の概要】
【発明が解決しようとする課題】
【０００７】
本願発明は上記課題を鑑みてなされたものであり、電流方式の人体通信の通信感度を向上させることが可能な携帯装置を提供することを目的とする。
【課題を解決するための手段】
【０００８】
上記課題を解決するためになされた請求項１に記載の発明は、予め定められた態様で携帯されることにより、自装置を携帯するユーザの人体に、直接的或いは間接的に接触した状態に保持される接触面を有する形状に構成された筐体を有し、該ユーザの人体を介して外部装置と人体通信を行う携帯装置に関するものである。この携帯装置は、複数の電極から構成される電極群と、電極群を介して人体に電流を流すことにより、人体を介して外部装置に対し信号を送信する送信手段と、接触面に対して垂直に交わる回転軸を中心として回転可能な状態で当該携帯装置の筐体に保持されている回転体とを備える。また、回転体は、回転軸と垂直に交わる面であり、人体に対面する面である回転面を有しており、電極群は、回転面に配置されており、回転体は、質量重心が回転軸上以外のいずれかの位置に設けられていることを特徴とする。
【０００９】
既に述べたが、電流方式の人体通信の通信感度は、携帯装置の電極がユーザの人体のどの位置に接触するかといったことや、携帯装置の通信相手となる外部装置の電極にユーザの人体のどの部分が接触するか等といったことにより変動する。具体的には、例えば、ユーザの人体を信号が伝達する方向に沿って電極が並んでいる場合には、通信感度が向上するのである。
【００１０】
そこで、請求項１に記載の携帯装置は、質量重心が回転軸上以外の位置に設けられた回転体の回転面に配置された電極を介して人体に電流を流し、人体通信により外部装置にデータを送信する。こうすることにより、回転体は、回転軸が鉛直方向を向かない限り、重力により、質量重心が回転軸から見て鉛直方向下側となるように回転する。このため、回転面に配置された電極が並ぶ向きを、鉛直方向を基準として一定に保つことが可能となる。
【００１１】
ここで、電極が並ぶ向きを、鉛直方向を基準として一定に保つことにより通信感度を向上させることができるという点について、詳しく説明する。携帯装置が右側の胸ポケットに入れられた状態でユーザに携帯され、ユーザの右手で外部装置との接触がなされると仮定する。このような場合には、携帯装置とユーザの人体との接点からユーザの右肩付近までは鉛直上方向に向かって信号が伝達し、さらに、右腕に沿ってユーザと外部装置との接点まで信号が伝達すると考えられる。このとき、胸ポケットに入れられている携帯装置の電極が並ぶ向きを常に鉛直方向とすることにより、電極が並ぶ向きと信号の伝達方向とを常に一致させることができ、携帯装置から外部装置にデータを送信する際の通信感度を向上させることができるのである。
【００１２】
また、携帯装置がペンダントのように首からぶら下げられ、首の下付近で人体に接した状態でユーザに携帯され、ユーザの右手で外部装置との接触がなされると仮定する。このような場合には、携帯装置とユーザの人体との接点からユーザの右肩付近までは水平方向に信号が伝達し、さらに、右腕に沿ってユーザと外部装置との接点まで信号が伝達すると考えられる。このとき、首の下付近で人体に接している携帯装置の電極が並ぶ向きを常に水平方向とすることにより、電極が並ぶ向きと信号の伝達方向とを常に一致させることができ、携帯装置から外部装置にデータを送信する際の通信感度を向上させることができるのである。
【００１３】
このように、請求項１に記載の携帯装置によれば、電流方式の人体通信により外部装置にデータを送信する際に通信感度を向上させることができるのである。
また、請求項２に記載されているように、回転体は、回転面が接触面の一部となるように配置されても良い。
【００１４】
こうすることにより、回転面に配置された電極を、携帯装置を携帯するユーザの人体に直接接触させることや、ユーザが着ている服等を介して間接的にユーザの人体に接触させることが可能となる。したがって、人体通信の通信感度を向上させることができる。
【００１５】
また、請求項３に記載されているように、回転体は、回転面が接触面を介して人体と対面するように、当該携帯装置の筐体の内部に配置されていても良い。
こうすることにより、電極が外部に対し露出した状態となってしまうことを防ぐことができ、電極を保護することができる。
【００１６】
また、回転面は、次のような構成を有していても良い。
すなわち、請求項４に記載されているように、当該携帯装置の筐体は板状の形状を有しており、該筐体における二つの主面が、それぞれ、接触面に相当し、回転体は、回転面を二つ有し、それぞれの回転面は、接触面に１対１で対応していても良い。そして、回転体は、回転面が、それぞれ、対応する接触面を介して人体と対面するよう配置されており、当該携帯装置は、電極群を二つ備え、電極群は、それぞれの回転面に一つ配置されていても良い。
【００１７】
こうすることにより、携帯装置の筐体の表面と裏面のどちらがユーザの人体に接触した状態となっている場合であっても、通信感度が良好な状態で外部装置に対し送信を行うことができる。したがって、携帯装置の使い勝手を向上させることができる。
【００１８】
また、既に述べたが、携帯装置の電極が、ユーザの人体を信号が伝達する方向に沿って並んでいる場合には、通信感度が向上する。
そこで、請求項５に記載の携帯装置では、人体に沿って、当該携帯装置と該人体との接点から、外部装置との接点となる該人体の所定の部位に向かう方向を伝達方向とし、当該携帯装置は、人体のいずれかの部位に対応しており、当該携帯装置が予め定められた態様で携帯されるとは、立った状態のユーザの人体における対応する部位に、接触面が接触した状態で当該携帯装置が携帯されることとする。そして、接触面に配置されている電極群を構成する複数の電極は、当該携帯装置が予め定められた態様でユーザに携帯された場合において、伝達方向に沿った方向に並ぶように、該接触面上に配置されている。
【００１９】
こうすることにより、ユーザが予め定められた態様で携帯装置を携帯し、ユーザの人体の所定の部位で外部装置に触れることにより、電極が並ぶ向きを伝達方向と一致させることができ、携帯装置の通信感度を向上させることができる。
【００２０】
また、携帯装置は、信号側電極からグランド側電極に向かって電流を流すことにより、人体を介して信号を送信するが、携帯装置の電極が、ユーザの人体を信号が伝達する方向に沿って並んでおり、さらに、信号側電極が、グランド側電極よりも、外部装置とユーザの人体との接点の近くに位置する場合には、通信感度がより向上する。
【００２１】
そこで、請求項６に記載の携帯装置では、接触面に配置されている電極群を構成する複数の電極は、当該携帯装置が予め定められた態様でユーザに携帯された場合において、グランド側電極から信号側電極への向きが伝達方向に沿った方向に並ぶように、該接触面上に配置されている。
【００２２】
こうすることにより、ユーザが予め定められた態様で携帯装置を携帯し、ユーザの人体の所定の部位で外部装置に触れることにより、グランド側電極から信号側電極への向きを伝達方向と一致させることができ、携帯装置の通信感度を向上させることができる。
【００２３】
また、例えば、携帯装置が右側の胸ポケットに入れられた状態でユーザに携帯され、ユーザの右手で外部装置との接触がなされると仮定する。このような場合には、携帯装置とユーザの人体との接点からユーザの右肩付近までは鉛直上方向に向かって信号が伝達し、さらに、右腕に沿ってユーザと外部装置との接点まで信号が伝達すると考えられる。また、例えば、携帯装置が右側の胸ポケットに入れられた状態でユーザに携帯され、ユーザの右足で外部装置との接触がなされると仮定する。このような場合には、携帯装置とユーザの人体との接点からユーザと外部装置との接点まで、鉛直下方向に向かって信号が伝達すると考えられる。
【００２４】
このような場合を想定して、請求項７に記載されているように、電極群を構成する複数の電極は、回転体の質量重心と回転軸とを含む面と、回転面との交線に沿って配置されていても良い。
【００２５】
こうすることにより、電極が並ぶ向きを鉛直方向とすることや、グランド側電極から信号側電極への向きを鉛直上方向或いは鉛直下方向とすることができる。このため、電極が並ぶ向きと信号の伝達方向とを常に一致させることや、グランド側電極から信号側電極への向きを伝達方向に沿った方向にとすることが可能となる。したがって、携帯装置から外部装置にデータを送信する際の通信感度を向上させることが可能となる。
【００２６】
また、例えば、携帯装置がペンダントのように首にぶら下げられた状態でユーザに携帯され、ユーザの右手で外部装置との接触がなされると仮定する。このような場合には、携帯装置とユーザの人体との接点からユーザの右肩付近までは、このユーザに対面して水平左方向に向かって信号が伝達し、さらに、右腕に沿ってユーザと外部装置との接点まで信号が伝達すると考えられる。
【００２７】
このような場合を想定して、請求項８に記載されているように、電極群を構成する複数の電極は、回転体の質量重心と回転軸とを含む面と、回転面との交線に対し、垂直に交わる線に沿って配置されていても良い。
【００２８】
こうすることにより、電極が並ぶ向きを水平方向とすることや、グランド側電極から信号側電極への向きを、ユーザに対面して水平左方向とすること等が可能となる。このため、電極が並ぶ向きと信号の伝達方向とを常に一致させることや、グランド側電極から信号側電極への向きを伝達方向に沿った方向にとすることが可能となる。したがって、携帯装置から外部装置にデータを送信する際の通信感度を向上させることが可能となる。
【００２９】
また、携帯装置は、次のような構成を有していても良い。
すなわち、請求項９に記載されているように、携帯装置は、複数の電極から構成される電極群と、電極群を介して人体に電流を流すことにより、人体を介して外部装置に対し信号を送信する送信手段と、接触面に対して垂直に交わる回転軸を中心として回転可能な状態で当該携帯装置の筐体に保持されている回転体と、回転体を回転駆動させる駆動手段とを備えていても良い。そして、回転体は、回転軸と垂直に交わる面であり、人体に対面する面である回転面を有しており、電極群は、回転面に配置されていても良い。
【００３０】
こうすることにより、携帯装置は、電極が配置されている回転面を一回転させている間に、同一データを複数回にわたって送信することが可能となる。このため、電極が並ぶ向きと信号の伝達方向とが一致した状態となった時にデータを送信することや、グランド側電極から信号側電極への向きが伝達方向に沿った方向となった時にデータを送信することができる。したがって、この携帯装置によれば、電流方式の人体通信により外部装置にデータを送信する際に通信感度を向上させることができる。
【００３１】
また、請求項１０に記載されているように、駆動手段は、当該携帯装置が外部装置と人体通信を行っている間に、回転体を回転駆動させても良い。
こうすることにより、回転体が回転駆動されている期間が必要以上に長くなってしまうことを防ぐことができ、携帯装置の消費電力を低減させることができる。
【００３２】
また、請求項１１に記載されているように、回転体の回転軸は、接触面の中央にて該接触面と交わるように配置されても良い。
こうすることにより、回転体をより安定した状態で回転させることが可能となる。
【００３３】
また、携帯装置は、次のような構成を有していても良い。
すなわち、請求項１２に記載されているように、携帯装置は、接触面上に、一直線或いは略一直線に並ぶことがないように配置された三つ以上の電極から構成される電極群と、鉛直方向を検知する検知手段と、検知手段により検知された鉛直方向に基づき、電極群を構成する三つ以上の電極のうち、少なくともいずれか二つの電極を選択する選択手段と、選択手段により選択された電極を介して、人体に電流を流すことにより、該人体を介して外部装置に対し信号を送信する送信手段とを備えていても良い。
【００３４】
こうすることにより、携帯装置は、鉛直方向を基準とした特定の方向に並ぶ電極を介して人体通信によるデータ送信を行うことができる。
より詳しく説明すると、例えば、携帯装置が右側の胸ポケットに入れられた状態でユーザに携帯され、ユーザの右手で外部装置との接触がなされる場合には、鉛直方向に並ぶ電極を介してデータ送信を行うことにより、電極が並ぶ向きと信号の伝達方向とを常に一致させることができる。このため、通信感度を向上させることができるのである。
【００３５】
また、例えば、携帯装置がペンダントのように首からぶら下げられ、首の下付近で人体に接した状態でユーザに携帯され、いずれか一方の手で外部装置との接触がなされると仮定する。このような場合には、水平方向に並ぶ電極を介してデータ送信を行うことにより、電極が並ぶ向きと信号の伝達方向とを常に一致させることができ、通信感度を向上させることができるのである。
【００３６】
このように、請求項１２に記載の携帯装置によれば、電流方式の人体通信により外部装置にデータを送信する際に通信感度を向上させることができるのである。
また、既に述べたが、携帯装置の電極が、ユーザの人体を信号が伝達する方向に沿って並んでいる場合には、通信感度が向上する。
【００３７】
そこで、請求項１３に記載の携帯装置では、人体に沿って、当該携帯装置と該人体との接点から、外部装置との接点となる該人体の所定の部位に向かう方向を伝達方向とし、当該携帯装置は、人体のいずれかの部位に対応しており、当該携帯装置が予め定められた態様で携帯されるとは、立った状態のユーザの人体における対応する部位に、接触面が接触した状態で当該携帯装置が携帯されることである。そして、選択手段は、当該携帯装置が予め定められた態様で形態された場合において、検知手段により検知された鉛直方向に基づき、電極群を構成する電極のうち、伝達方向に沿って並んでいる電極を選択する。
【００３８】
こうすることにより、ユーザが予め定められた態様で携帯装置を携帯し、ユーザの人体の所定の部位で外部装置に触れた場合において、伝達方向に沿って並んでいる電極を選択してデータ送信を行うことができる。したがって、携帯装置の通信感度を向上させることができる。
【００３９】
また、携帯装置は、信号側電極からグランド側電極に向かって電流を流すことにより、人体を介して信号を送信するが、携帯装置の電極が、ユーザの人体を信号が伝達する方向に沿って並んでおり、さらに、信号側電極が、グランド側電極よりも、外部装置とユーザの人体との接点の近くに位置する場合には、通信感度がより向上する。
【００４０】
そこで、請求項１４に記載の携帯装置では、送信手段は、選択手段により選択された電極を介して、伝達方向に沿った向きに電流を流す。
こうすることにより、ユーザが予め定められた態様で携帯装置を携帯し、ユーザの人体の所定の部位で外部装置に触れることにより、グランド側電極から信号側電極への向きを伝達方向と一致させることができ、携帯装置の通信感度を向上させることができる。
【００４１】
また、例えば、携帯装置が右側の胸ポケットに入れられた状態でユーザに携帯され、ユーザの右手で外部装置との接触がなされると仮定する。このような場合には、携帯装置とユーザの人体との接点からユーザの右肩付近までは鉛直上方向に向かって信号が伝達し、さらに、右腕に沿ってユーザと外部装置との接点まで信号が伝達すると考えられる。また、例えば、携帯装置が右側の胸ポケットに入れられた状態でユーザに携帯され、ユーザの右足で外部装置との接触がなされると仮定する。このような場合には、携帯装置とユーザの人体との接点からユーザと外部装置との接点まで、鉛直下方向に向かって信号が伝達すると考えられる。
【００４２】
このような場合を想定して、請求項１５に記載されているように、選択手段は、電極群を構成する複数の電極のうち、検知手段により検知された鉛直方向に最も近い方向に沿って配置されている少なくとも二つの電極を選択しても良い。
【００４３】
こうすることにより、電極が並ぶ向きを鉛直方向とすることや、グランド側電極から信号側電極への向きを鉛直上方向或いは鉛直下方向とすることができる。このため、電極が並ぶ向きと信号の伝達方向とを常に一致させることや、グランド側電極から信号側電極への向きを伝達方向に沿った方向にとすることが可能となる。したがって、携帯装置から外部装置にデータを送信する際の通信感度を向上させることが可能となる。
【００４４】
また、例えば、携帯装置がペンダントのように首にぶら下げられた状態でユーザに携帯され、ユーザの右手で外部装置との接触がなされると仮定する。このような場合には、携帯装置とユーザの人体との接点からユーザの右肩付近までは、このユーザに対面して水平左方向に向かって信号が伝達し、さらに、右腕に沿ってユーザと外部装置との接点まで信号が伝達すると考えられる。
【００４５】
このような場合を想定して、請求項１６に記載されているように、選択手段は、電極群を構成する複数の電極のうち、検知手段により検知された鉛直方向に直行する方向に最も近い方向に沿って配置されている少なくとも二つの電極を選択しても良い。
【００４６】
こうすることにより、電極が並ぶ向きを水平方向とすることや、グランド側電極から信号側電極への向きを、ユーザに対面して水平左方向とすること等が可能となる。このため、電極が並ぶ向きと信号の伝達方向とを常に一致させることや、グランド側電極から信号側電極への向きを伝達方向に沿った方向にとすることが可能となる。したがって、携帯装置から外部装置にデータを送信する際の通信感度を向上させることが可能となる。
【図面の簡単な説明】
【００４７】
【図１】第一実施形態のスマートエントリシステムを示す説明図である。
【図２】第一の携帯装置の電気的構成を示すブロック図である。
【図３】第一の携帯装置の正面図、斜視図、及びＡ−Ａ´断面図である。
【図４】第二の携帯装置の正面図、斜視図、及びＢ−Ｂ´断面図である。
【図５】第三の携帯装置の正面図、及びＣ−Ｃ´断面図である。
【図６】第四の携帯装置の斜視図、及びＤ−Ｄ´断面図である。
【図７】第五の携帯装置の電気的構成を示すブロック図、及び第一の送信処理のフローチャートである。
【図８】第六の携帯装置の電気的構成を示すブロック図、及び第六の携帯装置の正面図である。
【図９】第二の送信処理のフローチャートである。
【発明を実施するための形態】
【００４８】
以下、本発明の実施形態について図面を用いて説明する。尚、本発明の実施の形態は、下記の実施形態に何ら限定されることはなく、本発明の技術的範囲に属する限り種々の形態を採りうる。
【００４９】
［第一実施形態］
図１には、第一実施形態におけるスマートエントリシステムを示す説明図が記載されている。このスマートエントリシステムは、第一の携帯装置１０と、車載装置２０と、車両側電極３０とから構成されている。この第一の携帯装置１０は、左胸のポケット等に入れられ、左胸に直接的或いは間接的に接触した状態でユーザに携帯される。また、第一の携帯装置１０と車載装置２０とは、人体に電流を流すことにより情報を伝送する方式（以後、電流方式とも記載）による人体通信を行うことができ、車載装置２０は第一の携帯装置１０と人体通信を行い、車両のドアの施錠や開錠を行う。より詳しく説明すると、車載装置２０が搭載されている車両のドアノブには車両側電極３０が備え付けられており、第一の携帯装置１０を携帯するユーザがドアノブに触れると、第一の携帯装置１０と車載装置２０との人体通信が行なわれる。そして、車載装置２０は、人体通信により第一の携帯装置１０から認証用データを受信すると、車両のドアを開錠する。
【００５０】
［構成の説明］
第一の携帯装置１０の構成について説明する。
（１）第一の携帯装置１０の電気的構成について
まず、第一の携帯装置１０の電気的構成について説明する。図２には、第一の携帯装置１０の電気的構成を示すブロック図が記載されている。第一の携帯装置１０は、信号側電極１１ａと、グランド側電極１１ｂと、通信部１２と、制御部１３とを有している。
【００５１】
通信部１２は、電極を介して自装置を携帯する人体に電流を流し、人体通信により車載装置２０に信号を送信する部位である。通信部１２は、信号側電極１１ａからグランド側電極１１ｂに向かって自装置を携帯するユーザの人体に電流を流すことにより、車載装置２０にデータを送信する。
【００５２】
制御部１３は、ＣＰＵ，ＲＯＭ，ＲＡＭ，Ｉ／Ｏ及びこれらの構成を接続するバスラインなどからなる周知のマイクロコンピュータを中心に構成されており、ＲＯＭ等に記憶されたプログラムに基づいて上記各部を統括的に制御して各種処理を実行する部位である。
【００５３】
（２）第一の携帯装置１０の物理的構成について
次に、第一の携帯装置１０の物理的構成について説明する。図３の（ａ）には、第一の携帯装置１０の正面図が記載されており、図３の（ｂ）には、第一の携帯装置１０の斜視図が記載されている。第一の携帯装置１０は、略長方形の板状の形状を有する筐体１４を有している。尚、板状の物体の表面及び裏面のことを、主面とも記載する。この筐体１４のいずれか一方の主面は、自装置を携帯するユーザとの接触面１４ａとして構成されている。また、接触面１４ａの中央には凹部が設けられており、この凹部には、円盤状の回転体１５が、一方の主面が接触面１４ａの一部を構成した状態で嵌め込まれている。尚、接触面１４ａの一部となっている回転体１５の主面を、回転面１４ａ−１とも記載する。
【００５４】
また、図３の（ｃ）には、図３の（ａ）に記載の正面図や、図３の（ｂ）に記載の斜視図におけるＡ−Ａ´断面図が記載されている。このＡ−Ａ´断面図に記載されているように、回転体１５は、筐体１４の主面と直交する回転軸１６を中心として回転可能に保持されている。回転軸１６は、円形である回転面１４ａ−１の中心である回転中心１４ａ−２を通過しており、回転面１４ａ−１は、回転中心１４ａ−２を中心に回転可能である。
【００５５】
また、回転面１４ａ−１には、矩形の信号側電極１１ａとグランド側電極１１ｂとが、回転中心１４ａ−２を挟んで対面する位置に配置されている。また、回転体１５の内部には、錘１５ａが設けられている。錘１５ａは、接触面１４ａ側から見てグランド側電極１１ｂの奥側に設けられている。
【００５６】
このため、回転体１５の質量重心は錘１５ａの内部に設定され、立った状態のユーザの胸付近に接触面１４ａが接触している場合には、回転体１５は、重力により、錘１５ａが回転軸から見て鉛直方向下側となるように回転する。したがって、第一の携帯装置１０は、回転面１４ａ−１に配置されたグランド側電極１１ｂから信号側電極１１ａへの向きを鉛直上方向に保つことができる。
【００５７】
［効果］
第一の携帯装置１０は、自装置がユーザの左胸のポケットに入れられ、接触面１４ａがユーザに対面した状態でユーザに携帯され、ユーザの左手で車両側電極３０に触れられた場合の、グランド側電極１１ｂから信号側電極１１ａへの向きと、第一の携帯装置１０から車載装置２０への信号の伝達方向とを一致させることができる。このため、第一の携帯装置１０から車載装置２０にデータを送信する際の通信感度を向上させることができる。
【００５８】
尚、例えば、第一の携帯装置１０がズボンの右ポケットに入れられた状態でユーザに携帯され、ユーザの右手で車両側電極３０に触れられる場合であっても、グランド側電極１１ｂから信号側電極１１ａへの向きと、第一の携帯装置１０から車載装置２０への信号の伝達方向とを一致させることができる。したがって、第一の携帯装置１０から車載装置２０にデータを送信する際の通信感度を向上させることができる。
【００５９】
［特許請求の範囲との対応］
上記実施形態の説明で用いた用語と、特許請求の範囲の記載に用いた用語との対応を示す。
【００６０】
車載装置２０及び車両側電極３０が外部装置に、通信部１２が送信手段にそれぞれ相当する。また、ユーザの左胸が、第一の携帯装置１０に対応する人体の部位に相当する。
［第二実施形態］
次に、第二実施形態のスマートエントリシステムについて説明する。第二実施形態のスマートエントリシステムは、第一実施形態のスマートエントリシステムと同様の機能を有しており、第二の携帯装置４０と、車載装置２０と、車両側電極３０とから構成される。また、第二の携帯装置４０は、第一実施形態における第一の携帯装置１０と同様、左胸のポケット等に入れられ、左胸に直接的或いは間接的に接触した状態でユーザに携帯される。
【００６１】
［構成の説明］
まず、第二の携帯装置４０の電気的構成について説明する。第二の携帯装置４０は、第一の携帯装置１０と同様の信号側電極４１ａと、グランド側電極４１ｂと、通信部４２と、制御部４３とを有している。
【００６２】
次に、第二の携帯装置４０の物理的構成について説明する。図４の（ａ）には、第二の携帯装置４０の正面図が記載されており、図４の（ｂ）には、第二の携帯装置４０の斜視図が記載されている。第二の携帯装置４０は、略長方形の板状の形状を有する筐体４４を有しており、この筐体４４のいずれか一方の主面は、自装置を携帯するユーザとの接触面４４ａとして構成されている。また、接触面４４ａの中央には円形の凹部４４ｂが設けられており、この凹部４４ｂの内部には、円盤状の回転体４５が、一方の主面が接触面４４ａの一部を構成した状態で配置されている。接触面４４ａの一部となっている回転体４５の主面を、回転面４５ａとも記載する。尚、凹部４４ｂの底面と、回転面４５ａとは共には円形であるが、回転面４５ａの直径は、凹部４４ｂの底面の直径の３／４程度の長さとなっている。そして、回転体４５は、その側面の一箇所が、凹部４４ｂの側面と若干の隙間を空けて対面した状態で、凹部４４ｂの内部に配置されている。
【００６３】
また、図４の（ｃ）には、図４の（ａ）に記載の正面図や、図４の（ｂ）に記載の斜視図におけるＢ−Ｂ´断面図が記載されている。このＢ−Ｂ´断面図に記載されているように、回転体４５は、筐体４４の主面と直交する回転軸４６を中心として回転可能に保持されている。回転軸４６は、円形である凹部４４ｂの底面の中心を通過している。そして、回転軸４６は、円形の回転面４５ａの中心とはずれた位置を通過しており、回転体４５は、回転面４５ａの中心とは異なる位置である回転中心４５ａ−１として回転可能に構成される。
【００６４】
また、回転面４５ａには、矩形の信号側電極４１ａとグランド側電極４１ｂとが配置されている。ここで、回転面４５ａ上の回転中心４５ａ−１から、回転面４５ａの円周までの線分のうち、その長さが最短となる線分を最短線分４５ａ−２とし、最長となる線分を最長線分４５ａ−３とする。信号側電極４１ａは最短線分４５ａ−２上に配置され、グランド側電極４１ｂは最長線分４５ａ−３上に配置される。
【００６５】
このため、回転体４５の質量重心は、最長線分４５ａ−３を通過し、回転面４５ａに直交する平面上に設定される。したがって、回転体４５は、立った状態のユーザの胸付近に接触面４４ａが接触している場合には、重力により、最長線分４５ａ−３上に配置されているグランド側電極４１ｂが、回転軸から見て鉛直方向下側となり、最短線分４５ａ−２上に配置されている信号側電極４１ａが、回転軸から見て鉛直方向上側となるよう回転する。
【００６６】
［効果］
第二の携帯装置４０は、自装置が左胸のポケットに入れられ、接触面４４ａがユーザに対面した状態でユーザに携帯され、ユーザの左手で車両側電極３０に触れられた場合の、グランド側電極４１ｂから信号側電極４１ａへの向きを、鉛直上方向とすることができる。つまり、グランド側電極４１ｂから信号側電極４１ａへの向きを、第二の携帯装置４０から車載装置２０への信号の伝達方向と一致させることができるのである。したがって、第二の携帯装置４０から車載装置２０にデータを送信する際の通信感度を向上させることができる。
【００６７】
［特許請求の範囲との対応］
上記実施形態の説明で用いた用語と、特許請求の範囲の記載に用いた用語との対応を示す。
【００６８】
車載装置２０及び車両側電極３０が外部装置に、通信部４２が送信手段にそれぞれ相当する。また、ユーザの左胸が、第二の携帯装置４０に対応する人体の部位に相当する。
［第三実施形態］
次に、第三実施形態のスマートエントリシステムについて説明する。第三実施形態のスマートエントリシステムは、第一実施形態のスマートエントリシステムと同様の機能を有しており、第三の携帯装置５０と、車載装置２０と、車両側電極３０とから構成される。また、第一実施形態における第一の携帯装置１０は、左胸のポケット等に入れられた状態でユーザに携帯されるが、第三実施形態における第三の携帯装置５０は、ペンダント等のようにして首にぶら下げられ、首の下付近で人体に接した状態でユーザに携帯される。
【００６９】
［構成の説明］
まず、第三の携帯装置５０の電気的構成について説明する。第三の携帯装置５０は、第一の携帯装置１０と同様の信号側電極５１ａと、グランド側電極５１ｂと、通信部５２と、制御部５３とを有している。
【００７０】
次に、第三の携帯装置５０の物理的構成について説明する。図５の（ａ）には、第三の携帯装置５０の正面図が記載されており、図５の（ｂ）には、図５の（ａ）に記載の正面図におけるＣ−Ｃ´断面図が記載されている。第三の携帯装置５０は、第一の携帯装置１０と同様の筐体５４，接触面５４ａ，回転面５４ａ−１，回転体５５，回転軸５６を有しており、回転面５４ａ−１は、回転中心５４ａ−２を中心に回転可能である。
【００７１】
また、筐体５４は、第一の携帯装置１０と同様に略長方形の板状の形状を有しているが、筐体５４の一方の短辺の中央には、紐や鎖を通すためのリング５７が設けられている。尚、リング５７が設けられている短辺を、上側の短辺とも記載する。紐等は、上側の短辺に沿ってリング５７に通される。
【００７２】
また、回転面５４ａ−１には、矩形の信号側電極５１ａとグランド側電極５１ｂとが配置されている。また、回転体５５の内部には、錘５５ａが設けられている。ここで、これらの電極と、錘５５ａとの位置関係について説明する。回転面５４ａ−１の回転中心５４ａ−２で直交する二つの直線を、Ａ直線５４ａ−３、Ｂ直線５４ａ−４とする。信号側電極５１ａとグランド側電極５１ｂとは、Ａ直線５４ａ−３上の、Ｂ直線５４ａ−４を中心とした対称な位置にそれぞれ配置されている。また、信号側電極５１ａからグランド側電極５１ｂへ向かって左側の、Ｂ直線５４ａ−４上のポイントをＣポイント５４ａ−５とすると、錘５５ａは、接触面５４ａ側から見てＣポイント５４ａ−５の奥側に設けられている。
【００７３】
このため、回転体５５の質量重心は錘５５ａの内部に設定され、立った状態のユーザの首の下付近に接触面５４ａが接触している場合には、回転体５５は、重力により、錘５５ａが回転軸から見て鉛直方向下側となるように回転する。したがって、第三の携帯装置５０は、回転面５４ａ−１に配置されたグランド側電極５１ｂから信号側電極５１ａへの向きを、回転面５４ａ−１に向かって水平右方向に保つことができる。
【００７４】
［効果］
第三の携帯装置５０は、自装置がペンダント等のようにして首にぶら下げられ、首の下付近にて接触面５４ａが人体側に対面している状態でユーザに携帯され、ユーザの右手で車両側電極３０に触れられた場合において、グランド側電極５１ｂから信号側電極５１ａへの向きと、第三の携帯装置５０から車載装置２０への信号の伝達方向とを一致させることができる。このため、第三の携帯装置５０から車載装置２０にデータを送信する際の通信感度を向上させることができる。
【００７５】
［特許請求の範囲との対応］
上記実施形態の説明で用いた用語と、特許請求の範囲の記載に用いた用語との対応を示す。
【００７６】
車載装置２０及び車両側電極３０が外部装置に、通信部５２が送信手段にそれぞれ相当する。また、ユーザの人体の首の下付近の部位が、第三の携帯装置５０に対応する人体の部位に相当する。
【００７７】
［第四実施形態］
次に、第四実施形態のスマートエントリシステムについて説明する。第四実施形態のスマートエントリシステムは、第一実施形態のスマートエントリシステムと同様の機能を有しており、第四の携帯装置６０と、車載装置２０と、車両側電極３０とから構成される。また、第四の携帯装置６０は、第一実施形態における第一の携帯装置１０と同様、左胸のポケット等に入れられ、左胸に直接的或いは間接的に接触した状態でユーザに携帯される。
【００７８】
［構成の説明］
まず、第四の携帯装置６０の電気的構成について説明する。第四の携帯装置６０は、第一の携帯装置１０と同様の信号側電極６１ａと、グランド側電極６１ｂと、通信部６２と、制御部６３とを有している。
【００７９】
次に、第四の携帯装置６０の物理的構成について説明する。図６の（ａ）には、第四の携帯装置６０の斜視図が記載されており、図６の（ｂ）には、図６の（ａ）に記載の斜視図におけるＤ−Ｄ´断面図が記載されている。第四の携帯装置６０は、第一の携帯装置１０と同様の形状を有する筐体６４を有している。
【００８０】
また、図６の（ｂ）には、図６の（ａ）に記載の斜視図におけるＤ−Ｄ´断面図が記載されている。このＤ−Ｄ´断面図に記載されているように、第四の携帯装置６０の内部には、円盤状の第一の回転体６５が、筐体６４の主面と直交する回転軸６６を中心として回転可能な状態で配置されている。
【００８１】
また、第一の回転体６５の一方の主面には、第一の携帯装置１０が有する回転体１５と同様に、矩形の信号側電極６１ａとグランド側電極６１ｂとが、回転中心を挟んで対面する位置に配置されている。尚、これらの電極が配置されている主面を回転面とも記載する。また、第一の回転体６５の内部には、錘６５ａが設けられている。錘６５ａは、回転面側から見てグランド側電極６１ｂの奥側に設けられている。
【００８２】
このため、第一の回転体６５の質量重心は錘６５ａの内部に設定され、立った状態のユーザの胸付近に接触面６４ａが接触している場合には、第一の回転体６５は、重力により、錘６５ａが回転軸から見て鉛直方向下側となるように回転する。したがって、第四の携帯装置６０は、回転面に配置されたグランド側電極６１ｂから信号側電極６１ａへの向きを鉛直上方向に保つことができる。
【００８３】
尚、第四の携帯装置６０は、第一の回転体６５に替えて、次のような第二の回転体６７を有していても良い。図６の（ｃ）には、図６の（ａ）に記載の斜視図におけるＤ−Ｄ´断面図が記載されている。このＤ−Ｄ´断面図に記載されているように、第四の携帯装置６０の内部には、円盤状の第二の回転体６７が、筐体６４の主面と直交する回転軸６６を中心として回転可能な状態で配置されている。また、第二の回転体６７の一方の主面には、Ａ信号側電極６１ａ−１とＡグランド側電極６１ｂ−１とが、回転中心を挟んで対面する位置に配置されている。また、他方の主面にも、同様にして、Ｂ信号側電極６１ａ−２とＢグランド側電極６１ｂ−２とが、回転中心を挟んで対面する位置に配置されている。尚、Ａ信号側電極６１ａ−１等が配置されている主面をＡ回転面とも記載し、Ｂ信号側電極６１ａ−２等が配置されている主面をＢ回転面とも記載する。Ａ信号側電極６１ａ−１及びＢ信号側電極６１ａ−２は、第二の回転体６７を挟んで対面する位置に配置されている。また、Ａグランド側電極６１ｂ−１及びＢグランド側電極６１ｂ−２についても同様に、第二の回転体６７を挟んで対面する位置に配置されている。また、第二の回転体６７の内部には、錘６７ａが設けられている。錘６７ａは、Ａグランド側電極６１ｂ−１とＢグランド側電極６１ｂ−２との間に設けられている。
【００８４】
［効果］
第四の携帯装置６０は、自装置が左胸のポケットに入れられ、接触面がユーザに対面した状態でユーザに携帯され、ユーザの左手で車両側電極３０に触れられた場合の、グランド側電極６１ｂから信号側電極６１ａへの向きと、第四の携帯装置６０から車載装置２０への信号の伝達方向とを一致させることができる。このため、第四の携帯装置６０から車載装置２０にデータを送信する際の通信感度を向上させることができる。また、第四の携帯装置６０では、回転面が外部に対し露出した状態となっていないため、電極を保護することができる。
【００８５】
また、第二の回転体６７では、表面と裏面に信号側電極とグランド側電極が配置されている。このため、第一の回転体６５に替えて第二の回転体６７を備える第四の携帯装置６０は、表面と裏面のどちらがユーザの人体に接触した状態となっている場合であっても、第四の携帯装置６０から車載装置２０にデータを送信する際の通信感度を向上させることができる。したがって、第四の携帯装置６０は、第一の回転体６５に替えて第二の回転体６７を備えることにより、使い勝手を向上させることができる。
【００８６】
［特許請求の範囲との対応］
上記実施形態の説明で用いた用語と、特許請求の範囲の記載に用いた用語との対応を示す。
【００８７】
車載装置２０及び車両側電極３０が外部装置に、通信部６２が送信手段にそれぞれ相当する。また、ユーザの左胸が、第四の携帯装置６０に対応する人体の部位に相当する。
［第五実施形態］
次に、第五実施形態のスマートエントリシステムについて説明する。第五実施形態のスマートエントリシステムは、第一実施形態のスマートエントリシステムと同様の機能を有しており、第五の携帯装置７０と、車載装置２０と、車両側電極３０とから構成される。尚、第一実施形態の第一の携帯装置１０は、左胸のポケット等に入れられた状態でユーザに携帯されるが、第五の携帯装置７０は、ユーザの人体のいずれかの部位に接した状態で携帯されていれば良い。
【００８８】
［構成の説明］
第五の携帯装置７０の構成について説明する。
（１）第五の携帯装置７０の電気的構成について
まず、第五の携帯装置７０の電気的構成について説明する。図７の（ａ）には、第五の携帯装置７０の電気的構成を示すブロック図が記載されている。第五の携帯装置７０は、信号側電極７１ａと、グランド側電極７１ｂと、通信部７２と、制御部７３と、モータ７４を有している。
【００８９】
通信部７２は、電極を介して人体通信により車載装置２０に信号を送信する部位である。通信部７２は、信号側電極７１ａからグランド側電極７１ｂに向かって自装置を携帯するユーザの人体に電流を流すことにより、車載装置２０にデータを送信する。また、通信部７２は、電極を介してユーザの人体に流れる電流を検知し、車載装置２０から人体通信により送信された信号を受信する。
【００９０】
制御部７３は、ＣＰＵ，ＲＯＭ，ＲＡＭ，Ｉ／Ｏ及びこれらの構成を接続するバスラインなどからなる周知のマイクロコンピュータを中心に構成されており、ＲＯＭ等に記憶されたプログラムに基づいて上記各部を統括的に制御して各種処理を実行する部位である。
【００９１】
モータ７４は、後述する回転体を回転駆動させる部位である。
（２）第五の携帯装置７０の物理的構成について
次に、第五の携帯装置７０の物理的構成について説明する。第五の携帯装置７０は、第一実施形態における第一の携帯装置１０と類似した物理的構成を有している。第五の携帯装置７０は、第一の携帯装置１０と同様の筐体７４，接触面７４ａ，回転体７５，回転軸７６を有している。そして、回転体７５の回転面７４ａ−１には、第一の携帯装置１０と同様にして信号側電極７１ａとグランド側電極７１ｂとが配置されている。但し、第五の携帯装置７０が有する回転体７５は、第一の携帯装置１０が有する回転体１５と異なり、錘が備え付けられていない。
【００９２】
［動作の説明］
次に、第五の携帯装置７０が、車載装置２０に対し認証用データを送信する処理である第一の送信処理について説明する。本処理は、第五の携帯装置７０を携帯するユーザが車両側電極３０に触れ、第五の携帯装置７０が、車載装置２０から人体通信により送信された信号を検知した際に開始される。
【００９３】
Ｓ１０５では、第五の携帯装置７０の制御部７３は、モータ７４に回転体７５の回転駆動を開始させ、Ｓ１１０に処理を移行する。
Ｓ１１０では、制御部７３は、通信部７２を介して、人体通信により認証用データを所定の期間にわたって送信する。このとき、制御部７３は、回転体７５が一回転する間に、複数回にわたって認証用データを送信する。そして、所定の期間が経過すると、モータ７４を停止させ（Ｓ１１５）、本処理を終了する。
【００９４】
尚、第五の携帯装置７０は、例えば、図示しない操作部を介して所定の操作を受け付けた際に、第一の送信処理を開始しても良い。また、第五の携帯装置７０は、図示しない加速度センサにより自装置の移動を検知した際にユーザに携帯されたとみなし、第一の送信処理を開始しても良い。
【００９５】
［効果］
第五の携帯装置７０は、回転体７５が一回転する間に、認証用データを複数回にわたって送信する。このため、グランド側電極７１ｂから信号側電極７１ａへの向きが、第五の携帯装置７０から車載装置２０への信号の伝達方向に沿った方向となった時にデータを送信することができる。したがって、第五の携帯装置７０から車載装置２０にデータを送信する際の通信感度を向上させることができる。
【００９６】
［特許請求の範囲との対応］
上記実施形態の説明で用いた用語と、特許請求の範囲の記載に用いた用語との対応を示す。
【００９７】
車載装置２０及び車両側電極３０が外部装置に、通信部７２が送信手段に、モータ７４が駆動手段にそれぞれ相当する。
［第六実施形態］
次に、第六実施形態のスマートエントリシステムについて説明する。第六実施形態のスマートエントリシステムは、第一実施形態のスマートエントリシステムと同様の機能を有しており、第六の携帯装置８０と、車載装置２０と、車両側電極３０とから構成される。また、第六の携帯装置８０は、第一実施形態における第一の携帯装置１０と同様、左胸のポケット等に入れられ、左胸に直接的或いは間接的に接触した状態でユーザに携帯される。
【００９８】
［構成の説明］
第六の携帯装置８０の構成について説明する。
（１）第六の携帯装置８０の電気的構成について
まず、第六の携帯装置８０の電気的構成について説明する。図８の（ａ）には、第六の携帯装置８０の電気的構成を示すブロック図が記載されている。第六の携帯装置８０は、Ａ電極８１ａ〜Ｌ電極８１ｌの１２個の電極と、通信部８２と、制御部８３と、傾き検知部８４とを有している。
【００９９】
通信部８２は、電極を介して人体通信により車載装置２０に信号を送信する部位である。通信部８２は、Ａ電極８１ａ〜Ｌ電極８１ｌのうちの少なくとも二つによりユーザの人体に電流を流すことにより、車載装置２０にデータを送信する。
【０１００】
制御部８３は、ＣＰＵ，ＲＯＭ，ＲＡＭ，Ｉ／Ｏ及びこれらの構成を接続するバスラインなどからなる周知のマイクロコンピュータを中心に構成されており、ＲＯＭ等に記憶されたプログラムに基づいて上記各部を統括的に制御して各種処理を実行する部位である。
【０１０１】
傾き検知部８４は、鉛直方向を基準として自装置の傾きを検知するためのセンサを有する部位である。
（２）第六の携帯装置８０の物理的構成について
次に、第六の携帯装置８０の物理的構成について説明する。図８の（ｂ）には、第六の携帯装置８０の正面図が記載されている。第六の携帯装置８０は、略長方形の板状の形状を有する筐体８５を有している。この筐体８５のいずれか一方の主面は、自装置を携帯するユーザとの接触面８５ａとして構成されている。接触面８５ａの中央には、ドーナツ状の領域８５ａ−１が設けられており、この領域８５ａ−１には、略台形の１２個の電極であるＡ電極８１ａ〜Ｌ電極８１ｌが配置されている。これらの電極は、Ａ電極８１ａ〜Ｌ電極８１ｌの順に、領域８５ａ−１に沿って等間隔に配置されている。尚、Ｇ電極８１ｇの中央からＡ電極８１ａの中央へ向かう方向を基準方向８５ａ−２とする。
【０１０２】
［動作の説明］
次に、第六の携帯装置８０が、車載装置２０に対し認証用データを送信する処理である第二の送信処理について、図９に記載のフローチャートを用いて説明する。本処理は、自装置がユーザに携帯されている間に、定期的に実行される処理である。
【０１０３】
Ｓ２０５では、第六の携帯装置８０の制御部８３は、接触面８５ａが鉛直方向に沿った状態で保持されていると仮定した場合において、接触面８５ａ上の基準方向８５ａ−２が、鉛直上方向に対し、接触面８５ａに沿ってどの程度傾いているかを傾き検知部８４により検知し、Ｓ２１０に処理を移行する。
【０１０４】
Ｓ２１０では、制御部８３は、検知した傾きに基づき、Ａ電極８１ａ〜Ｌ電極８１ｌのうち、鉛直方向に最も近い方向に沿って並んでいる電極を特定する。そして、特定した電極のうち、鉛直方向上側に位置する電極を信号側電極とすると共に、鉛直方向下側に位置する電極をグランド側電極とする。具体的には、例えば、基準方向８５ａ−２が、鉛直上方向に対し接触面８５ａに沿って左方向に９０度傾いていることが検知された場合には、鉛直方向に最も近い方向に沿って並んでいる電極として、Ｄ電極８１ｄとＪ電極８１ｊとを特定し、Ｄ電極８１ｄを信号側電極とすると共にＪ電極８１ｊをグランド側電極とする。また、例えば、基準方向８５ａ−２が、鉛直上方向に対し接触面８５ａに沿って右方向に４５度傾いていることが検知された場合には、鉛直方向に最も近い方向に沿って並んでいる電極として、Ｅ電極８１ｅ及びＦ電極８１ｆと、Ｋ電極８１ｋ及びＬ電極８１ｌとを特定する。そして、Ｋ電極８１ｋ及びＬ電極８１ｌを信号側電極とすると共に、Ｅ電極８１ｅ及びＦ電極８１ｆをグランド側電極とする。そして、制御部８３は、Ｓ２１５に処理を移行する。
【０１０５】
Ｓ２１５では、制御部８３は、通信部８２を介して、人体通信により認証用データを複数回にわたって送信する。このとき、通信部８２は、Ｓ２１０にて特定された信号側電極からグランド側電極に向かって電流を流すことにより、信号を送信する。認証用データの送信に終了すると、制御部８３は、本処理を終了する。
【０１０６】
［効果］
第六の携帯装置８０によれば、自装置の傾きに応じて、鉛直方向に沿って並ぶ電極が選択され、選択された電極のうち、鉛直方向上側に位置する電極を信号側電極、鉛直方向下側に位置する電極をグランド側電極として、車載装置２０へのデータ送信が行われる。このため、第六の携帯装置８０は、グランド側電極から信号側電極への向きを鉛直上方向に保つことができる。したがって、第六の携帯装置８０が左胸のポケットに入れられ、接触面８５ａがユーザに対面した状態でユーザに携帯され、ユーザの左手で車両側電極３０に触れられた場合の、グランド側電極から信号側電極への向きと、第六の携帯装置８０から車載装置２０への信号の伝達方向とを一致させることができる。このため、第六の携帯装置８０から車載装置２０にデータを送信する際の通信感度を向上させることができる。
【０１０７】
［特許請求の範囲との対応］
上記実施形態の説明で用いた用語と、特許請求の範囲の記載に用いた用語との対応を示す。
【０１０８】
車載装置２０及び車両側電極３０が外部装置に、通信部８２が送信手段に、制御部８３が選択手段に、傾き検知部８４が検知手段にそれぞれ相当する。また、ユーザの左胸が、第六の携帯装置８０に対応する人体の部位に相当する。
【０１０９】
［他の実施形態］
（１）第一実施形態の第一の携帯装置１０では、回転面１４ａ−１には、一つの信号側電極１１ａと一つのグランド側電極１１ｂが配置されている。しかし、例えば、二つの信号側電極と、二つのグランド側電極とが、回転中心１４ａ−２を挟んで対面する位置に、回転面１４ａ−１の円周に沿って並べられた状態で配置されていても良い。このような場合であっても、同様の効果を得ることができる。
【０１１０】
（２）第一実施形態の第一の携帯装置１０では、回転体１５は回転軸１６により筐体１４に保持されているが、回転軸１６に替えて、例えば、回転体１５と凹部との間に隙間を設け、この隙間に複数の点動体を配置しても良い。そして、回転体１５は、この点動体により回転可能に保持されても良い。このような構成を有する場合であっても、同様の効果を得ることができる。
【０１１１】
（３）第三実施形態の第三の携帯装置５０の回転体５５は、３６０度回転可能な構成となっている。しかし、回転体５５は、Ｃポイント５４ａ−５が回転中心５４ａ−２と水平となる位置まで移動可能となるよう、１８０度程度の揺動が可能な状態で回転軸５６に保持されていても良い。このような構成を有する場合であっても、第三の携帯装置５０は、回転面５４ａ−１に配置されたグランド側電極５１ｂから信号側電極５１ａへの向きを、回転面５４ａ−１に向かって水平右方向に保つことができるため、同様の効果を得ることができる。
【０１１２】
（４）第六実施形態における第六の携帯装置８０は、胸ポケット等に入れられた状態でユーザに携帯されるが、ペンダント等のようにして首にぶら下げられた状態でユーザに携帯されても良い。そして、第六の携帯装置８０は、基準方向８５ａ−２が、接触面８５ａに向かって水平右方向に対しどの程度傾いているかを検知し、検知した傾きに基づき、接触面８５ａに向かって水平右方向に最も近い方向に沿って並んでいる電極を特定しても良い。そして、特定した電極のうち、接触面８５ａに向かって右側の電極を信号側電極とすると共に、左側の電極をグランド側電極としても良い。こうすることにより、第六の携帯装置８０は、グランド側電極から信号側電極への向きを、接触面８５ａに向かって水平右方向に保つことができる。したがって、ユーザの右手で車両側電極３０に触れられた場合において、グランド側電極から信号側電極への向きと、第六の携帯装置８０から車載装置２０への信号の伝達方向とを一致させることができる。このため、第六の携帯装置８０から車載装置２０にデータを送信する際の通信感度を向上させることができる。
【０１１３】
（５）本実施形態では、第一〜第六の携帯装置はスマートエントリシステムに適用されているが、言うまでも無いことではあるが、これらの携帯装置は、スマートエントリシステム以外の他のシステムに適用されても良い。
【０１１４】
また、例えば、第一の携帯装置１０が、車載装置２０以外の他の外部装置と人体通信を行い、この他の外部装置の電極は、地面に設けられていると仮定する。このとき、第一の携帯装置１０が備える回転体１５には、回転面１４ａ−１から見て信号側電極１１ａの奥側に錘１５ａが備え付けられていても良い。こうすることにより、立った状態のユーザの胸付近に接触面１４ａが接触している場合には、第一の携帯装置１０は、回転面１４ａ−１に配置されたグランド側電極１１ｂから信号側電極１１ａへの向きを鉛直下方向に保つことができる。したがって、第一の携帯装置１０が左胸のポケットに入れられ、接触面１４ａがユーザに対面した状態でユーザに携帯され、ユーザの左足で電極に触れられた場合の、グランド側電極１１ｂから信号側電極１１ａへの向きと、第一の携帯装置１０から他の外部装置への信号の伝達方向とを一致させることができる。このため、第一の携帯装置１０から他の外部装置にデータを送信する際の通信感度を向上させることができる。
【符号の説明】
【０１１５】
１０…第一の携帯装置、１１ａ…信号側電極、１１ｂ…グランド側電極、１２…通信部、１３…制御部、１４…筐体、１４ａ…接触面、１４ａ−１…回転面、１４ａ−２…回転中心、１５…回転体、１５ａ…錘、１６…回転軸、２０…車載装置、３０…車両側電極、４０…第二の携帯装置、４１ａ…信号側電極、４１ｂ…グランド側電極、４２…通信部、４３…制御部、４４…筐体、４４ａ…接触面、４４ｂ…凹部、４５…回転体、４５ａ…回転面、４５ａ−１…回転中心、４５ａ−２…最短線分、４５ａ−３…最長線分、４６…回転軸、５０…第三の携帯装置、５１ａ…信号側電極、５１ｂ…グランド側電極、５２…通信部、５３…制御部、５４…筐体、５４ａ…接触面、５４ａ−１…回転面、５４ａ−２…回転中心、５４ａ−３…Ａ直線、５４ａ−４…Ｂ直線、５４ａ−５…Ｃポイント、５５…回転体、５５ａ…錘、５６…回転軸、５７…リング、６０…第四の携帯装置、６１ａ…信号側電極、６１ａ−１…Ａ信号側電極、６１ａ−２…Ｂ信号側電極、６１ｂ…グランド側電極、６１ｂ−１…Ａグランド側電極、６１ｂ−２…Ｂグランド側電極、６２…通信部、６３…制御部、６４…筐体、６４ａ…接触面、６５…第一の回転体、６５ａ…錘、６６…回転軸、６７…第二の回転体、６７ａ…錘、７０…第五の携帯装置、７１ａ…信号側電極、７１ｂ…グランド側電極、７２…通信部、７３…制御部、７４…モータ、７４…筐体、７４ａ…接触面、７４ａ−１…回転面、７５…回転体、７６…回転軸、８０…第六の携帯装置、８１ａ…Ａ電極、８１ｂ…Ｂ電極、８１ｃ…Ｃ電極、８１ｄ…Ｄ電極、８１ｅ…Ｅ電極、８１ｆ…Ｆ電極、８１ｇ…Ｇ電極、８１ｈ…Ｈ電極、８１ｉ…Ｉ電極、８１ｊ…Ｊ電極、８１ｋ…Ｋ電極、８１ｌ…Ｌ電極、８２…通信部、８３…制御部、８４…傾き検知部、８５…筐体、８５ａ…接触面、８５ａ−１…領域、８５ａ−２…基準方向。
【図２】
2010206616.tif 000003
【図７】
2010206616.tif 000004
【図８】
2010206616.tif 000005
【図９】
2010206616.tif 000006
【図１】
2010206616.tif 000007
【図３】
2010206616.tif 000008
【図４】
2010206616.tif 000009
【図５】
2010206616.tif 000010
【図６】
2010206616.tif 000011